(57)【要約】【課題】定常光を使用して、影の少ない色合いの良好な写真を簡単に撮影することができる写真撮影用照明装置を提供する。【解決手段】右側発光壁２、左側発光壁３、天井発光壁４を有し、各内側壁面を発光照射面とする照明ブース１を備えている。右側発光壁２、左側発光壁３、及び天井発光壁４は、各々複数の発光壁ユニット１０を平面状に並設し各壁面を門形に配置して構成される。各発光壁ユニット内１０には色温度５５００°ｋの光を放射する蛍光ランプ１３が配設され、発光壁ユニット１０の前面に乳白色で透光性を有する乳白色透光板１４が装着されている。【選択図】図１
2005031511.tif 000002
【特許請求の範囲】
【請求項１】
右側発光壁、左側発光壁、及び天井発光壁を有し内側壁面を発光面とする照明ブースを備えた写真撮影用照明装置であって、
該右側発光壁、該左側発光壁、及び該天井発光壁が発光壁ユニットを門形に配置して構成され、該各発光壁ユニット内には自然光に近似した色温度の光を放射するランプが配設され、該発光壁ユニットの前面に乳白色で透光性を有する乳白色透光板が装着されたことを特徴とする写真撮影用照明装置。
【請求項２】
前記右側発光壁、左側発光壁、及び天井発光壁は、複数の発光壁ユニットを平面状に並べて配置し、各発光壁ユニットを連結固定具で相互に連結固定して形成されることを特徴とする請求項１記載の写真撮影用照明装置。
【請求項３】
前記右側発光壁、左側発光壁、及び天井発光壁の正面側に、複数の発光壁ユニットを門形に組み付けた形状の袖部発光壁を設けたことを特徴とする請求項１記載の写真撮影用照明装置。
【請求項４】
前記右側発光壁、左側発光壁、及び天井発光壁の背面側に、複数の発光壁ユニットを平面状に並設した背面発光壁を設けたことを特徴とする請求項１記載の写真撮影用照明装置。
【発明の詳細な説明】
【技術分野】
【０００１】
本発明は、写真撮影に使用する写真撮影用照明装置に関し、特に自然光に極めて近い定常光を使用して、良好な写真を撮影することができる照明装置に関する。
【背景技術】
【０００２】
写真撮影にとって好ましい光とは、太陽光（自然光）と同様な色温度を有し、また、自然光と同様に可視光領域の光スペクトルが一様である光源が良いとされている。しかし、写真スタジオなどの室内で写真を撮影する場合、人工光源を使用することになるため、従来では、キセノンランプなどの各種の放電灯などを照明装置として使用していた。しかし、キセノンランプなどの放電灯を使用した場合であっても、定常光として写真撮影の光源に使用した場合、光量不足となりやすいという課題があった。このため、従来では、写真スタジオでポートレートなどの写真を撮影する場合、放電灯などを用いたストロボ装置を使用し、放電灯をストロボ光源として閃光動作させ、スタジオ内で写真を撮影することが通常行われている（例えば下記特許文献１を参照）。
【特許文献１】特開２００３−１７７４６１公報
【発明の開示】
【発明が解決しようとする課題】
【０００３】
しかし、室内でストロボ装置を光源として写真撮影する場合、被写体の影の出方を少なくするためには、照明装置の発光面積を大きくする必要があるが、このためには、大型のストロボを、メインストロボ、フロントストロボ、トップストロボのように、数多く設置する必要があるなどの課題があった。
【０００４】
また、ストロボ撮影の場合、定常光による撮影とは相違して、実際に被写体に照射された光の照度を測定してカメラの絞りやシャッター速度を調整することができないため、カメラのシャッター動作に同期して点灯するストロボ装置の発光量を予想してカメラの絞りやシャッター速度を調整している。このため、複数のストロボを使用する場合、試験撮影なしにカメラの絞りやシャッター速度を正確に調整することが難しいという課題があった。
【０００５】
また、逆に、予め設定したカメラの絞りやシャッター速度に応じて、ストロボ装置の発光開始時間と発光終了時間を制御することも行なわれているが、メインストロボ、フロントストロボ、トップストロボのような複数のストロボの発光時間を、カメラの絞りやシャッター速度に応じて正確に制御することは難しく、やはり試験撮影なしに良好に写真撮影を行うことが難しいという課題があった。
【０００６】
本発明は、上述の課題を解決するものであり、定常光を使用して、影の少ない色合いの良好な写真を簡単に撮影することができる写真撮影用照明装置を提供することを目的とする。
【課題を解決するための手段】
【０００７】
本発明に係る写真撮影用照明装置は、右側発光壁、左側発光壁、及び天井発光壁を有し、各内側壁面を発光照射面とする照明ブースを備えた写真撮影用照明装置であって、右側発光壁、左側発光壁、及び天井発光壁が発光壁ユニットを門形に配置して構成され、各発光壁ユニット内には自然光に近似した色温度の光を放射するランプが配設され、発光壁ユニットの前面に乳白色で透光性を有する乳白色透光板が装着されたことを特徴とする。
【０００８】
ここで、右側発光壁、左側発光壁、及び天井発光壁は、複数の発光壁ユニットを平面状に並べて組み付けると共に、その隣接部を連結固定具で相互に連結固定して形成することができる。
【０００９】
また、右側発光壁、左側発光壁、及び天井発光壁の正面側に、複数の発光壁ユニットを門形に組み付けた袖部発光壁を設けることができる。
【００１０】
また、右側発光壁、左側発光壁、及び天井発光壁の背面側に、複数の発光壁ユニットを平面状に並設した背面発光壁を設けることができる。
【発明の効果】
【００１１】
このように構成された写真撮影用照明装置では、カメラを、右側発光壁、左側発光壁、及び天井発光壁で囲まれた照明ブースの前方に配置し、被写体を照明ブース内に配置する。そして、発光壁を構成する発光壁ユニット内のランプを点灯して、被写体を定常光により照明し、写真撮影を行う。
【００１２】
被写体には、その左右側面と上面を囲うように配置された右側発光壁、左側発光壁、及び天井発光壁から定常光が照射され、また大きな光源面積を持ちほぼ面光源となる各面の発光壁から光が照射されるため、充分な光量で影を殆ど生じずに、被写体を照明することができる。このため、カメラの自動絞り調整機能または自動シャッター速度調整機能を動作させ、或いは照度計などで被写体の照度を正確に測定しその照度に合わせてカメラの絞り、シャッター速度を設定し、経験の浅い撮影者であっても、良好な写真を撮影することができる。
【００１３】
さらに、発光壁ユニット内のランプからは自然光に近い色温度の光が放射され、このランプの光は、自然光と同様な光スペクトルを有し、自然光で撮影した場合と同様な自然の色合いの写真を撮影することができる。ランプとしては、自然光に近い色温度の蛍光ランプ（例えば５５００°ｋの光を照射する蛍光ランプ）を使用することができる。
【００１４】
また、各右側発光壁、左側発光壁、及び天井発光壁は、複数の発光壁ユニットを平面状に並設して任意の大きさに組み立てることができるため、写真スタジオなどへの設置を簡単に行うことができ、また照明装置の移動も簡単に行うことができる。
【００１５】
さらに、右側発光壁、左側発光壁、及び天井発光壁の正面側に、発光壁ユニットの袖部発光壁を形成し、袖部発光壁からも被写体に向けて光を照射するようにすれば、さらに、被写体を良好に照明して写真撮影を行うことができる。
【００１６】
さらに、右側発光壁、左側発光壁、及び天井発光壁の背面側に、発光壁ユニットの背面発光壁を形成すれば、背面発光壁からバックライトとしての光を照射するため、背景にバックライトを伴う写真撮影を簡単に行うことができる。
【発明を実施するための最良の形態】
【００１７】
以下、本発明の一実施形態を図面に基づいて説明する。図１は照明装置の斜視図を示している。この照明装置は、右側発光壁２、左側発光壁３、天井発光壁４、及び袖部発光壁５を有する照明ブース１によって構成され、各発光壁２〜５の内側壁面から内側に光を照射するように構成される。
【００１８】
照明ブース１は、右側発光壁２、左側発光壁３、及び天井発光壁４を略コ字状に組み付けて配置し、その正面側に門形（コ字状）の袖部発光壁５を組み付けて形成され、これらの各発光壁２〜５は、図５〜図７に示すような発光壁ユニット１０を複数個平面状に並設し、各ユニット１０を相互に連結固定具１５により連結固定して形成される。
【００１９】
発光壁ユニット１０は、図５〜図７に示すように、矩形の基板１１の前面に複数の蛍光灯具１２を取り付け、基板１１の前面を乳白色透光板１４で包囲して、薄い板状の矩形箱形に形成される。乳白色透光板１４は、透光性を有した乳白色のアクリル板または板ガラスから形成され、基板１１の側面を含む前面全体を包囲することもできるが、矩形の基板１１の上下面及び左右側面は他の板により形成し、基板１１の前面のみを乳白色透光板１４で形成することもできる。
【００２０】
蛍光灯具１２には、自然光に極めて近い色温度５５００°ｋの光を照射する蛍光ランプ１３が使用される。この色温度５５００°ｋの蛍光ランプ１３は、太陽光（自然光）と略同じ色温度を持つと共に、自然光とほぼ同じ可視光領域の分光スペクトルを有した光を放射するランプである。蛍光灯具１２には、図示しない安定回路、インバータ点灯回路が内蔵され、蛍光ランプ１３を安定して点灯駆動し、太陽光つまり自然光に非常に近い光を照射する。この蛍光ランプ１３としては、発光面積の広くとれる棒状ランプが好適である。図５の例では、１個の発光壁ユニット１０内に４本の蛍光灯具１２（蛍光ランプ１３）を設置したが、その数は蛍光ランプ１３の長さや照度により、５本あるいは３本と任意に調整して取り付けることができる。
【００２１】
発光壁ユニット１０は、このような蛍光ランプ１３の照射光をその前面から照射するが、その前面には乳白色透光板１４が配置され、蛍光ランプ１３の光は乳白色透光板１４を透過して放射される。このため、光は適度に散乱し、正面から見た場合、蛍光ランプ１３の形状が現れることはなく、発光壁ユニット１０の正面全体を面光源として発光させることができる。
【００２２】
図６のように構成された発光壁ユニット１０は、図７のように、平面状に並設され、それらのユニット１０がその基板１１の隣接部を連結固定具１５により連結固定して、各右側発光壁２、左側発光壁３、天井発光壁４、及び袖部発光壁５が形成される。右側発光壁２、左側発光壁３、天井発光壁４は、図３に示すように、矩形平面状に形成されるが、袖部発光壁５は、門形（略コ字状）に形成される。
【００２３】
そして、図１，２に示すように、上記のように平板状に形成された右側発光壁２と左側発光壁３を床上に立設し、右側発光壁２と左側発光壁３の上端に天井発光壁４を水平状態で載置し、それらの発光壁の各当接部が連結されて、全体が略コ字状に形成される。さらに、そのコ字状の壁部の前面に、門形に形成された袖部発光壁５が取り付けられる。このように、各発光壁２〜５は同じ形状或いは略同じ形状の発光壁ユニット１０を連結固定して形成され、照明ブース１は、右側発光壁２、左側発光壁３、天井発光壁４、及び袖部発光壁５を箱型に組み付けて形成されるため、写真スタジオなどで比較的簡単に組み立てることができる。なお、上述した実施形態の照明装置では、照明ブース１の正面に門形の袖部発光壁５を設けたが、袖部発光壁５を設けずに、右側発光壁２、左側発光壁３、天井発光壁４のみで照明ブース１を構成してもよい。
【００２４】
上記のように構成された写真撮影用照明装置は、写真スタジオ内などに組み立てて設置され、図８に示すように、カメラ８が、右側発光壁２、左側発光壁３、天井発光壁４、及び袖部発光壁５で囲まれた照明ブース１の前方に配置され、照明ブース１内の略中央に被写体６が配置される。カメラ８の位置は、照明ブース１の内外で前後左右に調整することができる。
【００２５】
そして、右側発光壁２、左側発光壁３、天井発光壁４、及び袖部発光壁５を構成する発光壁ユニット１０内の蛍光ランプ１３を点灯して、照明ブース１の内側の被写体６を定常光により照明し、写真撮影を行う。なお、各発光壁ユニット１０内に配設される蛍光ランプ１３の点灯する本数を変えることにより、全ての蛍光ランプ１３を点灯したときの最大照度から各ユニット当り１本の蛍光ランプ１３を点灯した際の最少照度まで、照度を調整することができる。
【００２６】
被写体６には、その左右側面と上面を囲うように配置された右側発光壁２、左側発光壁３、及び天井発光壁４から定常光が照射され、また大きな光源面積を持ちほぼ面光源となる各面の右側発光壁２、左側発光壁３、天井発光壁４、及び袖部発光壁５から光が照射される。このため、照明ブース１内の被写体６は、充分な光量で且つ影を殆ど生じずに照明され、写真撮影される。
【００２７】
従って、上記のように、照明ブース１から定常光を照射して被写体６を照明するため、カメラ８の自動絞り調整機能または自動シャッター速度調整機能を動作させることができ、或いは照度計などで被写体の照度を正確に測定しその照度に合わせてカメラの絞り、シャッター速度を設定することができ、ストロボ装置を使用する場合のように試験撮影を行なわずに、経験の浅い撮影者であっても、良好な写真を撮影することができる。
【００２８】
また、各発光壁ユニット１０内の蛍光ランプ１３からは色温度５５００°ｋの光が放射されるが、この色温度５５００°ｋの光は自然光である太陽光の色温度をほぼ同じ値であって可視光の光スペクトルも一様であるため、自然光で撮影した場合と同様な自然の色合いの写真を撮影することができる。例えば、従来の一般的な昼光色の蛍光ランプ（色温度６５００°ｋ）を照明に使用して写真撮影をした場合、全体的に緑がかった色調の写真となりやすいが、色温度５５００°ｋの蛍光ランプ１３を使用することにより、自然光での撮影に近い良好な色調の写真を撮影することができる。
【００２９】
また、各右側発光壁２、左側発光壁３、及び天井発光壁４は、複数の発光壁ユニット１０を平面状に並設して任意の大きさに組み立てることができるため、写真スタジオなどへの設置を簡単に行うことができ、また照明装置の移動も簡単に行うことができる。
【００３０】
さらに、右側発光壁２、左側発光壁３、及び天井発光壁４の正面側に、発光壁ユニット１０の袖部発光壁５を形成し、袖部発光壁５からも被写体に向けて光を照射するようにしているから、被写体６を良好に照明して写真撮影を行うことができる。
【００３１】
なお、図９に示すように、右側発光壁２、左側発光壁３、及び天井発光壁４の背面側に、さらに背面発光壁７を設けることができる。この背面発光壁７は上記と同様な発光壁ユニット１０を複数個平面状に並設して形成することができ、このような照明ブースの背面に位置する背面発光壁７からバックライトとしての光を被写体に照射するため、背景にバックライトを伴う写真撮影を簡単に行うことができる。この場合、写真の背景に背面発光壁７が取り込まれることになるが、発光壁ユニット１０の前面に乳白色透光板１４が配設され、蛍光ランプ１３の光が乳白色透光板１４で散乱し照射されるため、写真に直接蛍光ランプ１３が写りこむことはなく、背景をぼかした撮影方法により、被写体を良好に撮影することができる。
【００３２】
なお、上記実施形態では、複数の発光壁ユニットを平面状に組み付けて各発光壁を構成したが、単一の発光壁ユニットで各発光壁を構成するようにしてもよい。また、上記実施形態では、ランプとして色温度５５００°ｋの蛍光ランプを使用したが、自然光の色温度に近い色温度の光を照射するランプであれば、蛍光ランプの他、白熱ランプ、ハロゲンランプ、各種放電灯などを使用することもできる。
【図面の簡単な説明】
【００３３】
【図１】本発明の一実施形態を示す写真撮影用照明装置の斜視図である。
【図２】各発光壁を分解した状態の斜視図である。
【図３】右側発光壁の正面図である。
【図４】袖部発光壁の正面図である。
【図５】発光壁ユニットの斜視図である。
【図６】発光壁ユニットの断面図である。
【図７】左側発光壁の断面図である。
【図８】撮影状態を示す斜視図である。
【図９】他の実施形態を示す各発光壁の分解時の斜視図である。
【符号の説明】
【００３４】
１−照明ブース
２−右側発光壁
３−左側発光壁
４−天井発光壁
５−袖部発光壁
６−被写体
７−背面発光壁
８−カメラ
１０−発光壁ユニット
１３−蛍光ランプ
１４−乳白色透光板
１５−連結固定具                                                                               
【図１】
2005031511.tif 000003
【図２】
2005031511.tif 000004
【図３】
2005031511.tif 000005
【図４】
2005031511.tif 000006
【図５】
2005031511.tif 000007
【図６】
2005031511.tif 000008
【図７】
2005031511.tif 000009
【図８】
2005031511.tif 000010
【図９】
2005031511.tif 000011